(57)【要約】【課題】携帯電話機において着信の報知などに用いられる、振動発生機構と発光機構の両方を有する報知機構の構成の合理化を図る。【解決手段】携帯電話機の筐体を構成する受話部リアケース１２の内面にリブ３２によって区画されて形成された凹部内に、ＶＩＢモータ３０を包み込んで保持する、弾性部材からなるＶＩＢホルダ３１が圧入して取り付けられている。ＶＩＢホルダ３１は、発光機構を構成するＬＥＤ５１によって発生する光を透過する材料から作製されており、回路基板５０の、ＬＥＤ５１が搭載された部分に面して位置し、受話部リアケース１２に設けられた開口から露出されている。ＶＩＢホルダ３１の、受話部リアケース１２から露出された部分は、ＬＥＤ５１によって発生した光を外部に射出するＬＥＤレンズ４０の働きをしている。【選択図】  図２
2004328325.tif 000002
【特許請求の範囲】
【請求項１】
携帯電話機に搭載された、振動発生機構と発光機構を有する報知機構であって、
前記振動発生機構を包み込んで保持し、前記携帯電話機の外郭を形成する筐体から一部が露出されて取り付けられ、前記発光機構によって発生した光を透過する材料から製作された保持部品をさらに有し、前記発光機構は、発生した光が前記保持部品を通って、前記保持部品の、前記筐体から露出された部分から外部に射出される位置に配置されている報知機構。
【請求項２】
前記保持部材は弾性部材から作製されている、請求項１に記載の報知機構。
【請求項３】
前記発光機構は前記振動機構の胴部の外面に実装されている、請求項１または２に記載の報知機構。
【請求項４】
前記保持部材の、前記振動発生機構に最も近い外面が前記筐体から露出されている、請求項１から３のいずれか１項に記載の報知機構。
【請求項５】
前記保持部材の、前記振動発生機構に最も近い外面に凸部が形成されている、請求項４に記載の報知機構。
【請求項６】
前記振動発生機構は、モータと、該モータのシャフトに偏芯して取り付けられた分銅から構成され、前記発光機構はＬＥＤである、請求項１から５のいずれか１項に記載の報知機構。
【発明の詳細な説明】
【０００１】
【発明の属する技術分野】
本発明は、携帯電話機に備えられる、着信などをユーザーに伝える報知機構に関し、特に、報知手段として振動発生機構と発光機構とを備える報知機構に関する。
【０００２】
【従来の技術】
携帯電話機において、着信した際に、そのことをユーザーに報知する方法としては、登録された着信音や音楽をスピーカから流して報知する方法の他、振動を発生させて報知する方法が一般的に用いられている。振動を発生する機構としては、分銅を偏芯してシャフトに取り付けた、振動発生用のモータ（ＶＩＢモータ）を駆動することによって振動を発生する構成が知られている。
【０００３】
また、報知手段としては、ＬＥＤなどの発光機構を用いて報知する方法も知られており、このような手段を有する携帯電話機は、例えば、特許文献１に記載されている。この発光手段は、着信の報知以外の様々な用途に用いることも知られており、例えば、特許文献１には、着信があったが応答しなかった場合や、留守番電話機能によって記録されたメッセージがある場合などに、そのことを知らせる手段として発光機構を用いることが記載されている。
【０００４】
【特許文献１】
特開２００１−１２７８４２号公報
【０００５】
【発明が解決しようとする課題】
近年、携帯電話機は多機能化されてきており、デジタルカメラなどの様々な機構が搭載され、そのために実装する部品が増加する傾向にある。一方、携帯して用いる機器として、小型化、軽量化を図っていく必要があり、そのために、部品点数を削減することが非常に重要な検討項目となっている。
【０００６】
これに対して、上述のように振動発生機構と発光機構との両方を有する携帯電話機では、従来、両者を搭載するために別々の部品が必要とされている。すなわち、振動発生機構を構成するＶＩＢモータは、通常、振動発生時にも安定して保持し、かつ振動を外部に伝達できるように、シリコンゴムなどの弾性部材からなるＶＩＢホルダによってモータ胴部を包み、このＶＩＢホルダを、携帯電話機の外郭を形成する筐体内にリブなどによって形成された凹部に圧入して固定されている。一方、ＬＥＤなどの発光手段は、回路基板などに実装されており、発光手段によって発生した光を外部に射出するため、筐体の一部に透明または半透明のＬＥＤレンズが取り付けられている。
【０００７】
このように、ＶＩＢホルダとＬＥＤレンズを別々の部品として取り付ける場合、両者のためにそれぞれ設置スペースが必要となり、装置の小型化や軽量化の妨げとなる。
【０００８】
本発明の目的は、携帯電話機において着信の報知などに用いられる、振動発生機構と発光機構の両方を有する報知機構の構成の合理化を図り、それによって、携帯電話機の部品点数を削減し、携帯電話機の小型化、軽量化を図ることにある。
【０００９】
【課題を解決するための手段】
上述の目的を達成するため、本発明の報知機構は、携帯電話機に搭載された、振動発生機構と発光機構を有する報知機構であって、振動発生機構を包み込んで保持し、携帯電話機の外郭を形成する筐体から一部が露出されて取り付けられ、発光機構によって発生した光を透過する材料から製作された保持部品をさらに有し、発光機構は、発生した光が保持部品を通って、保持部品の、筐体から露出された部分から外部に射出される位置に配置されていることを特徴とする。
【００１０】
この構成によれば、振動発生機構によって発生した振動は保持部材を介して外部に伝達され、かつ、発光機構によって発生した光は、保持機構を介して外部に射出される。すなわち、本発明によれば、単一の部材を用いて、発光機構によって発生した光と振動発生機構によって発生した振動との両方を良好に外部に伝達することができる。
【００１１】
本発明において、保持部材を弾性部材から作製すれば、振動発生機構を、振動発生時にも良好にしっかりと保持し、かつ、発生した振動を外部に良好に伝達することができる。
【００１２】
発光機構は、振動機構の胴部に実装することができ、それによって、回路基板上に実装スペースを確保する必要がなくなるので、回路基板の小型化を図ることができる。
【００１３】
保持部材は、発光機構からの光を外部に射出する部分に加えて、振動発生機構に近い部分でも筐体から露出させてもよい。それによって、振動発生機構によって発生した振動を、保持部材を介して直接外部に伝達することができる。さらに、保持部材の、振動発生機構に近い部分で筐体から露出した部分に凸部を設ければ、振動がさらに外部に伝達されやすくすることができる。
【００１４】
本発明において、振動発生機構としては、従来から一般に用いられている、モータと、該モータのシャフトに偏芯して取り付けられた分銅から構成したものを用いることができ、また、発光機構としてはＬＥＤを用いることができる。
【００１５】
【発明の実施の形態】
以下、図面を参照して本発明の実施の形態について説明する。
【００１６】
（第１の実施形態）
図１〜４を参照して本発明の第１の実施形態について説明する。
【００１７】
図１は、本実施形態の携帯電話機の外観斜視図である。この携帯電話機は、折畳式の構成を有しており、図１（ａ）は開いた状態、図１（ｂ）は閉じた、あるいは折り畳んだ状態を示している。すなわち、この携帯電話機は、大きく分けて、ほぼ同様の平面形状を有する受話部Ａと送話部Ｂを有し、両者がヒンジユニット２０を介して連結された構成になっており、受話部Ａと送話部Ｂをヒンジユニット２０の周りに相対的に回転させることによって、図１（ａ）に示すように、両者がヒンジユニット２０を挟んで並んで位置する、開いた状態と、図１（ｂ）に示すように、両者がぴったりと合わされた、折り畳んだ状態とにすることができる。通常、折り畳んだ時に合わされて内側に位置する面が正面、外側に位置する面が背面と称される。
【００１８】
図２は、振動発生機構および発光機構が設けられた部分の断面図であり、図３は、振動機構の構成を示す模式図である。図４は、携帯電話機の主要な機構の構成を示すブロック図である。
【００１９】
図１に示すように、受話部Ａは、受話部フロントケース１１と受話部リアケース１２とから構成される筐体によって外郭を形成されている。受話部Ａには、通常ＬＣＤから構成される表示部ｂ１３（図４参照）や、スピーカｂ５から構成される受話機構が搭載されている。また、この例では、アンテナ部ｂ１、ＶＩＢモータ３０を含む振動発生機構、ＬＥＤ５１（図２参照）を含む発光機構も受話部Ａに搭載されている。
【００２０】
受話部フロントケース１１には、スピーカｂ５によって発生する音声を外部に伝わりやすくする受話音穴１８が正面の上端部に形成され、また、表示部ｂ１３の表示を外部から見ることができるようにする正面表示窓１７が正面の中央部に形成されている。受話部リアケース１２には、ＬＥＤ５１からの光が外部へと射出されるＬＥＤレンズ４０が嵌められた開口が設けられている。
【００２１】
送話部Ｂは、送話部フロントケース１３と送話部リアケース１４とから構成される筐体によって外郭を形成されている。送話部Ｂの背面側には、電源１５が着脱自在に装着されており、正面側には、キーボード１６が設けられている。送話部には、マイクｂ４や、キーボード１６からの入力情報を処理するキー操作入力部ｂ１１が搭載されている。送話部フロントケース１３には、音声がマイクｂ４に伝わりやすくする送話音穴１９が形成されている。
【００２２】
受話部Ａと送話部Ｂ内には、各部との信号のやりとりをするための配線や各部の動作を制御する制御機構が搭載された回路基板が設けられている。次に、この制御機構の主要な構成について図４を参照して説明する。
【００２３】
制御機構には、全体の動作を統括制御する制御部ｂ６が設けられている。制御部ｂ６は、無線部ｂ２、音声処理部ｂ３、報知部ｂ７、キー操作入力部ｂ１１、表示制御部ｂ１２、データ管理部ｂ１４などの各部に接続され、必要に応じて、各部から入力信号を受信し、各部に指令信号を出力する。
【００２４】
無線部ｂ２は、アンテナ部ｂ１に接続されており、アンテナ部ｂ１を介して受信され、また発信される信号の処理を行う。音声処理部ｂ２はマイクｂ４およびスピーカｂ５に接続されており、スピーカｂ５から音声を出力させ、また、マイクｂ４からの入力信号を受信して処理する。無線部ｂ２と音声処理部ｂ３は互いに直接接続されており、通常の受話、送話の処理時には、音声情報の信号が両者間で直接やり取りされる。
【００２５】
報知部ｂ７には、ＬＥＤ５１とＶＩＢモータ３０が接続され、またスピーカｂ８が接続されており、制御部ｂ６からの指令に応じて、これらを動作させる。キー操作入力部ｂ１１は、キーボード１６からの入力信号を処理して、制御部ｂ６に送信する。キーボード１６からは、送信相手の電話番号の入力だけでなく、モード選択などの操作を行うことができる。表示制御部ｂ１２は、表示部ｂ１３に接続されており、制御部ｂ６からの指令に応じて、必要な画像を表示部ｂ１３に表示させる。データ管理部ｂ１４は、メモリー部ｂ１５に接続されており、データの書き込み、読み出しの処理を行う。メモリー部ｂ１５には、電話番号や氏名などの情報を格納することができる。
【００２６】
次に、この携帯電話機の動作例について説明する。
【００２７】
携帯電話機に着信があった場合、相手からの送信信号は、基地局から電波として送信されてくる。送信された電波は、アンテナ部ｂ１によって受信され、無線部ｂ２を経て制御部ｂ６に送られる。制御部ｂ６は、着信したことを判定すると、報知部ｂ７に動作指令を出力する。報知部ｂ７は、設定されたモードなどに応じて、スピーカｂ５、ＶＩＢモータ３０、およびＬＥＤ５１のいずれかまたはこれらの内の幾つかを動作させ、それによって、着信したことが、報知音、振動、発光のいずれかまたはこれらの内の幾つかによってユーザーに知らされる。また、制御部ｂ１２は、必要に応じて、表示制御部ｂ１２に指令信号を出力し、着信電話番号などの情報を表示部１３に表示させる。
【００２８】
ユーザーは、報知部ｂ７による報知を確認し、また、必要に応じて、表示部ｂ１３に表示された着信電話番号などの情報を確認して、必要なキー入力操作を行うことによって、通話状態とすることができる。通話状態では、通話相手からの入力信号が、アンテナ部ｂ１、無線部ｂ２を介して音声処理部ｂ２に送られ、ここで音声信号に変換された信号がスピーカｂ５に送られて、スピーカｂ５から音声が出力され、また、マイクｂ４によって拾われた音声が、音声処理部ｂ２で送信信号に変換され、無線部ｂ２、アンテナ部ｂ１を介して送信される。
【００２９】
また、この携帯電話機は、情報端末として用いることができ、例えば、必要に応じて、知人の電話番号や氏名などの情報を登録することができる。この場合、ユーザーは、表示部ｂ１３の表示を確認しながら、キー入力によって情報入力モードを選択し、必要な情報を入力する。入力した情報の内容は、表示部ｂ１３に表示され、ユーザーは表示を確認して確定操作を行う。それによって、入力された情報は、データ管理部ｂ１４に送られ、メモリー部ｂ１５に格納される。
【００３０】
次に、図２，３を参照して、報知機構を構成する振動発生機構と発光機構の構成について、より詳細に説明する。
【００３１】
発光機構を構成するＬＥＤ５１は、受話部Ａの筐体内に配置された回路基板５０の、受話部リアケース１２側の面上の、受話部Ａの上端付近に当たる位置に実装されている。回路基板５０の、受話部フロントケース１１側の面は、それに接して配置された支持部材によって支持されている。この支持部材には、回路基板５０の、ＬＥＤ５１が設けられた部分の反対側の位置から、受話部フロントケース１１側へと延びる受話部支え５２が設けられている。
【００３２】
振動発生機構を構成するＶＩＢモータ３０は、円柱状の胴部３０−１と、その一端面の中心から軸方向に延びるシャフト３０−３を有しており、電力供給用の端子３０−４が胴部３０−１の反対側の端面から延びている。シャフト３０−３には、分銅３０−２が偏芯して取り付けられている。
【００３３】
このＶＩＢモータ３０は、ＶＩＢホルダ（保持部材）３１によって包まれて保持されている。ＶＩＢホルダ３１は、一定の弾性を有し、かつ透明または半透明の材料から製作されており、このような材料としては、例えばシリコンゴムを用いることができる。
【００３４】
ＶＩＢホルダ３１は、受話部リアケース１２の内面に、そこから延びるリブ３２によって区画されて、受話部Ａの上端部に当たる位置に形成された凹部内に圧入されて固定されている。ＶＩＢモータ３０の端子３０−４は、回路基板５０に接続されている。
【００３５】
ＶＩＢホルダ３１は、回路基板５０から受話部リアケース１２までの間の空間をほぼ埋める大きさを有しており、回路基板５０に搭載されたＬＥＤ５１に対応する部分には凹部３１−１が形成されている。したがって、ＬＥＤ５１は、この凹部３１−１内に入り込み、ＶＩＢホルダ３１に囲まれている。
【００３６】
ＬＥＤレンズ４０は、このＶＩＢホルダ３１と一体的に形成され、すなわち、ＶＩＢホルダ３１の一部であり、ＶＩＢホルダ３１を受話部リアケース１２の内面に形成された凹部に圧入する際、ＬＥＤレンズ４０の部分は、受話部リアケース１２の上端部に形成された開口に嵌められる。
【００３７】
この構成では、受話部リアケース１２に圧入された、弾性部材からなるＶＩＢホルダ３１によってＶＩＢモータ３０を包み込んで保持しているため、ＶＩＢモータ３０を回転駆動して振動を発生させた際、ＶＩＢモータ３０をしっかりと保持した状態に保ち、発生した振動を、ＶＩＢホルダ３１を介して受話部リアケース１２へと効率的に伝達し、外部に伝えることができる。また、ＶＩＢホルダ３１が透明または半透明の材料から製作されているため、ＬＥＤ５１によって発生した光は、ＶＩＢホルダ３１内を通ってＬＥＤレンズ４０の部分から外部に射出させることができ、したがって、外部からＬＥＤ５１の発光を確認することができる。
【００３８】
この際、ＶＩＢホルダ３１は、ＬＥＤレンズ４０の部分で外部に露出しているため、このＬＥＤレンズ４０の部分に、中に押し込む外力が加わる可能性がある。このような場合、受話部支え５２を設けていることによって、ＬＥＤレンズ４０が内部に入り込んでしまったり、回路基板５０が陥没してしまったりするのを防止することができる。すなわち、ＬＥＤレンズ４０の部分に加わった外力は、ＶＩＢホルダ３１、回路基板５０、受話部支え５２を介して受話部フロントケース１１の内面に伝わり、そこで支えられるので、各部品は、ほとんど動かされることなく、所定の位置に留まる。
【００３９】
以上説明した本実施形態によれば、従来、ＬＥＤレンズとＶＩＢホルダをそれぞれ独立した部品として設ける必要があったのに対して、単一の部品、すなわちＶＩＢホルダ３１を用いて、振動機構によって発生した振動と発光機構によって発生した光を外部に伝達することができる。したがって、部品点数を削減し、携帯電話機の小型化、軽量化に寄与することができ、また原価低減にもつながる。
【００４０】
なお、本実施形態では、折畳式携帯電話機に本発明を適用した例を示したが、本発明は、報知機構に振動機構と発光機構を含むものであれば他の形式の携帯電話機にも適用可能である。
【００４１】
また、本実施形態では、ＶＩＢホルダ３１を、一定の弾性を有する、比較的柔らかい材料から製作する例を示したが、変形例として、透明または半透明の、比較的硬い樹脂から製作した構成も考えられる。この場合、ＶＩＢモータ３０は、例えば、その胴部３０−１に両面テープを巻き、ＶＩＢホルダ３１に貼付して固定する。それによって、ＶＩＢモータ３０を回転駆動して振動を発生させた際でも、ＶＩＢモータ３０をＶＩＢホルダ３１にしっかりと保持することができ、また、発生した振動がＶＩＢホルダ３１に良好に伝達されるようにすることができる。
【００４２】
このように、ＶＩＢホルダ３１を比較的硬い樹脂から構成した場合、ＬＥＤレンズ４０の部分から加わる外力に対して、比較的強く、すなわち変形したり陥没したりしにくくなり、また、傷もつきにくくなるという効果が得られる。
【００４３】
（第２の実施形態）
次に、図５，６を参照して本発明の第２の実施形態について説明する。図５は、本実施形態の携帯電話機の、報知機構を構成する振動発生機構と発光機構が設けられた、受話部の上端部の断面図である。図６は、振動機構を構成するＶＩＢモータ３０の側面図である。これらの図において、第１の実施形態と同様の部分については、同一の符合を付し、詳細な説明は省略する。
【００４４】
本実施形態では、発光機構を構成するＬＥＤ１５１がＶＩＢモータ３０の胴部３０−１に搭載されている。これによって、回路基板５０にＬＥＤ用の搭載スペースを設ける必要がなくなり、回路基板５０を小型化することが可能となる。それによって、携帯電話機の小型化に寄与できる。
【００４５】
ＬＥＤ１５１への電力供給用の端子は、胴部３０−１の端面から延びる端子１３０−４に含められ、回路基板５０に接続されている。したがって、ＶＩＢモータ３０とＬＥＤ１５１は、回路基板５０からの入力信号によって、それぞれＯＮ／ＯＦＦさせることができる。
【００４６】
ＶＩＢホルダ１３１は、このようにＬＥＤ１５１が搭載された胴部３０−１を包み込んで保持している。このために、ＶＩＢホルダ１５１には、胴部３０−１とＬＥＤ１５１の両方を包み込む所定の形状の凹部が形成されている。
【００４７】
ＶＩＢホルダ１３１は、第１の実施形態と同様に、一定の弾性を有する透明な材料から製作されており、受話部リアケース１２の開口から露出され、ＬＥＤレンズ４０として機能する部分が一体的に形成されている。したがって、ＬＥＤ１５１によって発生した光は、ＶＩＢホルダ１３１を通って、ＬＥＤレンズ４０の部分から外部に出ることができ、外部から、ＬＥＤ１５１の発光を確認することができる。
【００４８】
本実施形態では、受話部リアケース１２に設けられた、ＶＩＢホルダ１３１を露出させる開口は、第１の実施形態に比べて広く形成されている。それによって、ＶＩＢホルダ１３１の、ＶＩＢモータ３０の胴部３０−１に最も近い外面、すなわち、図５で見て、胴部３０−１の直上の部分も、受話部リアケース１２から外部に露出されており、この部分に凸部１３３が形成されている。この際、ＶＩＢホルダ１３１の、受話部リアケース１２から露出された部分の反対側の位置には、受話部フロントケース１１に向かって延びる受話部支え５２が設けられ、それによって、ＶＩＢホルダ１３１が受話部の筐体内に入り込んだり、回路基板５０が陥没したりするのが防がれている。
【００４９】
このように、ＶＩＢホルダ１３１の、ＶＩＢモータ３０に近い部分を外部に露出させることによって、振動を、この部分を介して直接外部に伝達することができ、振動伝達の効率を向上させることができる。したがって、より強い振動による報知が可能となり、あるいは、消費電流を低く押さえて充分な振動を伝達することが可能となる。また、凸部１３３を設けることによって、振動が外部により伝わりやすくなる。
【００５０】
【発明の効果】
以上説明したように、本発明では、着信したことなどをユーザーに知らせる報知機構として、振動発生機構と発光機構を有する携帯電話機において、振動発生機構を保持し、発生した振動を伝達する働きと、発光機構によって発生した光を外部に伝達する働きとの両方の働きをする保持部材を用いている。それによって、携帯電話機の部品点数を削減し、携帯電話機の小型化、軽量化に寄与することができる。
【図面の簡単な説明】
【図１】本発明の第１の実施形態の携帯電話機の外観斜視図であり、図１（ａ）は開いた状態、図１（ｂ）は折り畳んだ状態を示している。
【図２】図１の携帯電話機の、振動発生機構および発光機構が設けられた部分の断面図である。
【図３】図２の振動発生機構を構成するＶＩＢモータの側面図である。
【図４】図１の携帯電話機の制御機構の主要な構成を示すブロック図である。
【図５】本発明の第２の実施形態の携帯電話機の、振動発生機構および発光機構が設けられた部分の断面図である。
【図６】図５の振動発生機構を構成するＶＩＢモータの側面図である。
【符号の説明】
１１    受話部フロントケース
１２    受話部リアケース
１３    送話部フロントケース
１４    送話部リアケース
１５    電源
１６    キーボード
１７    表面表示窓
１８    受話音穴
１９    送話音穴
２０    ヒンジ
３０    ＶＩＢモータ
３０−１    胴部
３０−２    分銅
３０−３    シャフト
３０−４，１３０−４    端子
３１，１３１    ＶＩＢホルダ
３２    リブ
４０    ＬＥＤレンズ
５０    回路基板
５１，１５１    ＬＥＤ
５２    受話部支え
１３３    凸部
Ａ    受話部
Ｂ    送話部
ｂ１    アンテナ部
ｂ２    無線部
ｂ３    音声処理部
ｂ４    マイク
ｂ５，ｂ８    スピーカ
ｂ６    制御部
ｂ７    報知部
ｂ１１    キー操作入力部
ｂ１２    表示制御部
ｂ１３    表示部
ｂ１４    データ管理部
ｂ１５    メモリー部
【図１】
2004328325.tif 000003
【図２】
2004328325.tif 000004
【図３】
2004328325.tif 000005
【図４】
2004328325.tif 000006
【図５】
2004328325.tif 000007
【図６】
2004328325.tif 000008